(57)【要約】【課題】  ブロンズ現象が低減された記録物を提供する。【解決手段】  記録媒体に記録された記録物であって、インクＡによって形成され、屈折率がＡである第１の層と、第１の層上にインクＢによって形成され、屈折率がＢ（ただしＢ＜Ａ）である第２の層と、第２の層上にインクＣまたは透明な樹脂材料によって形成され、屈折率がＣ（ただしＣ＞Ａ）である第３の層。【選択図】  図１
2018012337.tif 000002
【特許請求の範囲】
【請求項１】
記録媒体に記録された記録物であって、
インクＡによって形成され、屈折率がＡである第１の層と、
第１の層上にインクＢによって形成され、屈折率がＢ（ただしＢ＜Ａ）である第２の層と、
第２の層上にインクＣまたは透明な樹脂材料によって形成され、屈折率がＣ（ただしＣ＞Ａ）である第３の層。
【請求項２】
前記インクＡはシアンインクであり、前記インクＢはマゼンタインクであることを特徴とする請求項１に記載の記録物。
【請求項３】
前記第３の層は透明な樹脂材料により形成されることを特徴とする請求項１または２に記載の記録物。
【請求項４】
前記第１の層の前記記録媒体側に前記インクＡの色と異なる色のインクＤにより形成される第４の層が設けられていることを特徴とする請求項１乃至３のいずれか１項に記載の記録物。
【請求項５】
前記インクＡ、前記インクＢはともに顔料インクであることを特徴とする請求項１乃至４のいずれか１項に記載の記録物。
【請求項６】
請求項１乃至５のいずれか１項に記載の記録物が、記録が行われた領域の面積の５０パーセント以上の面積の領域に形成されている記録媒体。
【請求項７】
請求項１乃至６のいずれか１項に記載の記録物が、記録が行われた領域の面積の７０パーセント以上の面積の領域に形成されている記録媒体。
【請求項８】
請求項１乃至７のいずれか１項に記載の記録物が、記録が行われた領域の面積の９０パーセント以上の面積の領域に形成されている記録媒体。
【請求項９】
記録媒体上に記録物を形成する記録方法であって、
前記記録媒体上にインクＡを付与することにより屈折率がＡである第１の層を形成する工程と、
前記第１の層上にインクＢを付与することにより屈折率がＢ（ただしＢ＜Ａ）である第２の層を形成する工程と、
前記第２の層上にインクＣまたは透明な樹脂材料を付与することにより屈折率がＣ（ただしＣ＞Ａ）を形成する工程と、
を特徴とする記録方法。
【請求項１０】
前記インクＡ、前記インクＢはともに顔料インクであることを特徴とする請求項９に記載の記録方法。
【請求項１１】
屈折率がＡである層を記録媒体上で形成するためのインクＡと、屈折率がＢ（ただしＢ＜Ａ）である層を記録媒体上で形成するためのインクＢと、前記インクＡおよびインクＢにより記録媒体上に形成された層を覆うための、屈折率がＣ（ただしＣ＞Ａ）である層を形成するためのインクＣまたは透明な樹脂材料と、を吐出することが可能な記録ヘッドの複数回の走査を伴う記録によって前記記録媒体の単位領域に画像を形成するための画像処理方法であって、
前記インクＡ、Ｂそれぞれについて前記単位領域に対する前記複数回の走査それぞれにおいて付与する量を決定する決定手段と、
前記決定手段によって決定された量に基づいて前記記録ヘッドにより前記記録媒体に記録を行わせる制御手段と、を有し、
前記決定手段は、前記インクＢを単位領域に吐出する量に対する前記複数回の走査のうち後半の走査で前記インクＢを吐出する量の割合が、前記インクＡを単位領域に吐出する量に対する前記複数回の走査のうち後半の走査で前記インクＡを吐出する量の割合より高くなるように前記付与する量を決定することを特徴とする画像処理方法。
【請求項１２】
前記インクＡはシアンインクであり、前記インクＢはマゼンタインクであることを特徴とする請求項１１に記載の画像処理方法。
【請求項１３】
前記屈折率がＣである層は前記透明な樹脂材料により形成されることを特徴とする請求項１１または１２に記載の画像処理方法。
【請求項１４】
前記インクＢ、インクＡはともに顔料インクであることを特徴とする請求項１１乃至１３のいずれか１項に記載の画像処理方法。
【発明の詳細な説明】
【技術分野】
【０００１】
本発明は記録物、記録方法および画像処理方法に関する。
【背景技術】
【０００２】
近年、顔料インクは、製造技術の進歩により、顔料インク本来の長期保存性能と、染料インクに匹敵する高発色性の両立が可能になっている。そのため、記録した画像を長期に亘って保存する要求の高い、写真やポスターなどを中心に、顔料インクを用いた記録が行なわれている。
【０００３】
しかし、上述した用途の場合に顔料を用いると、画像の光沢性が不均一になり易い光沢ムラや、顔料シアンインクに代表されるブロンズ現象などが生じる場合があり、従来、懸念されてきた銀塩写真には無い画像品位の問題が出てくる。
【０００４】
ここで、ブロンズ現象とは、照明光が顔料画像表面で正反射（鏡面反射）する際、照明光の色と異なった色を反射する現象であり、特に、シアンインクで顕著に現れることが知られている。
【０００５】
このような光沢ムラ、ブロンズ現象及び堅牢性の問題を解決するため、特許文献１には、樹脂などを含有する透明な処理液で完全又は部分的に画像の表面を覆う技術が提案されている。
【先行技術文献】
【特許文献】
【０００６】
【特許文献１】特開２００５−００７４６０１公報
【発明の概要】
【発明が解決しようとする課題】
【０００７】
特許文献１で提案される手法では、薄い透明層により光沢ムラや堅牢性がほぼ解決されるが、画像の色によってブロンズ現象の低減される画像が限定されるため、全体的な画像品位が十分ではないという課題があった。
【０００８】
そこで本発明は、ブロンズ現象が抑制され、より高品位な画像を実現することが可能な記録物を提供することを目的の一つとする。
【課題を解決するための手段】
【０００９】
本発明の一例は、記録媒体に記録された記録物であって、記録媒体上にインクＡにより形成され屈折率がＡである第１の層と、インクＢにより第１の層上に形成され屈折率がＢ（ただしＢ＜Ａ）である第２の層と、インクＣまたは透明な樹脂層により形成され屈折率がＣ（ただしＣ＞Ａ）であり、前記記録物の表層を形成する第３の層と、を有する。
【発明の効果】
【００１０】
本発明によればブロンズ現象が抑制され、より高品位な画像を実現することが可能な記録物を提供することが可能となる。
【図面の簡単な説明】
【００１１】
【図１】本発明の実施形態に係るインクジェット記録装置の要部を示した斜視図である。
【図２】（ａ）は、本発明の第１の実施形態において用いられる記録ヘッドを吐出口側から見た図であり、（ｂ）は、第２の実施形態において用いられる記録ヘッドを吐出口側から見た図であり、（ｃ）は、第３の実施形態において用いられる記録ヘッドを吐出口側から見た図である。
【図３】本発明の代表的な実施形態であるインクジェット記録装置の概略構成を示す図である。
【図４】本発明の第１の実施形態の画像処理部のフローチャートである。
【図５】本発明の第１の実施形態における記録方法の説明図である。
【図６】記録媒体上の顔料インクによるブロンズの測定法について説明するための図である。
【図７】（ａ）、（ｂ）は、処理液との屈折率の差が異なるマゼンタインクおよびシアンインクの上に処理液を滴下した場合の、干渉の違いを説明するための図である。
【図８】表面粗さ（Ｒａ）を説明するための図である。
【図９】顔料インクを付与する場合のマスクパターンを説明するための図である。
【図１０】（ａ）、（ｃ）は、後半の走査で記録する場合のマスクパターンであり、（ｂ）は、前半の走査で記録する場合のマスクパターンを説明するための図である。
【図１１】干渉色と表面粗さの関係を説明するための図である。
【図１２】インデックスパターンを説明する図である。
【図１３】本発明の第２の実施形態において用いられるインデックスパターンおよびドット配置を説明する図である。
【図１４】本発明の第２の実施形態および第３の実施形態におけるドット配置を説明する図である。
【図１５】本発明の一実施形態係る記録物を記録媒体に垂直に切断した断面の様子を模式的に示した図である。
【発明を実施するための形態】
【００１２】
以下、図面を参照して本発明の好適な実施形態について詳細に説明する。以下の説明においては、インクジェット記録方式を用いた記録装置を例に挙げて説明する。記録装置は、例えば、記録機能のみを有するシングルファンクションプリンタであっても良いし、また、例えば、記録機能、ＦＡＸ機能、スキャナ機能等の複数の機能を有するマルチファンクションプリンタであっても良い。また、記録装置は、例えば、カラーフィルタ、電子デバイス、光学デバイス、微小構造物等を所定の記録方式で製造するための製造装置であっても良い。
【００１３】
なお、以下の説明において、「記録」とは、文字、図形等有意の情報を形成する場合のみならず、有意無意を問わない。更に人間が視覚で知覚し得るように顕在化したものであるか否かも問わず、広く記録媒体上に画像、模様、パターン、構造物等を形成する、又は媒体の加工を行なう場合も表す。
【００１４】
また、「記録媒体」とは、一般的な記録装置で用いられる紙のみならず、布、プラスチック・フィルム、金属板、ガラス、セラミックス、樹脂、木材、皮革等、インクを受容可能なものも表す。
【００１５】
更に、「インク」とは、上記「記録」の定義と同様広く解釈されるべきものである。従って、記録媒体上に付与されることによって、画像、模様、パターン等の形成又は記録媒体の加工、或いはインクの処理（例えば、記録媒体に付与されるインク中の色剤の凝固または不溶化）に供され得る液体を表す。
【００１６】
また、「画像を向上させる特性を有するインク」とは、画像の堅牢性や品位といった画像性能を向上させたインクを指す。また、「処理液」とは、インクと接触させることによって、画像の堅牢性や品位といった画像性能を向上させる液体（画像性能向上液）を指す。
【００１７】
ここで、「画像の堅牢性を向上させる」とは、耐擦過性、耐候性、耐水性及び耐アルカリ性の少なくとも１つを向上させて、インク画像の堅牢性を向上させることを指す。一方、「画像の品位を向上させる」とは、光沢性、ヘイズ性及びブロンズ性の少なくとも１つを向上させて、インク画像の品位を向上させる意である。
【００１８】
ここで、「耐擦過性」は、ＪＩＳ  Ｋ  ５６００−５−５に定められた方法に準じて測定される最小負荷値により評価されるものである。そして、「耐擦過性を向上させる」とは、「最小負荷値の値を高くする」ことを意味する。
【００１９】
また、「耐候性」は、ＪＩＳ  Ｋ  ５６００−７に定められた方法に準じて測定される変化の程度（等級）により評価されるものである。例えば、色の変化の程度の評価には、色差等を用いる。そして、「耐候性を向上させる」とは、「変化の程度（等級）の値を低くする」ことを意味する。
【００２０】
また、「耐水性」、「耐アルカリ性」は、ＪＩＳ  Ｋ  ５６００−６−１に定められた方法に準じて測定される損傷の兆候の観察により評価されるものである。そして、「耐水性を向上させる」とは、「損傷の兆候を小さくする」ことを意味する。
【００２１】
また、「光沢性」は、ＪＩＳ  Ｋ  ５６００−４−７に定められた方法に準じて測定される光沢度により評価されるものである。そして、「光沢性を向上させる」とは、「光沢度の値を高くする」ことを意味する。
【００２２】
また、「ヘイズ性」は、ＪＩＳ  Ｋ  ７３７４に定められた方法に準じて測定されるヘイズ値により評価されるものである。そして、「ヘイズ性を向上させる」とは、「ヘイズ値の値を低くする」ことを意味する。
【００２３】
また、「ブロンズ性」は、ＪＩＳ  Ｋ  ０１１５に定められた方法に準じて測定される色度により評価されるものである。そして、「ブロンズ性を向上させる」とは、「色度の値を無彩色化する」ことを意味する。
【００２４】
（実施形態１）
［全体構成］
以下、実施形態１について説明する。図１は、本発明の一実施の形態に係わるインクジェット記録装置（以下、記録装置と呼ぶ）３０の構成の一例を示す斜視図である。
【００２５】
記録ヘッド２２は、複数種類の液滴（ブラック（Ｋ）、シアン（Ｃ）、マゼンタ（Ｍ）、イエロー（Ｙ）、及び処理液（Ｈ））をそれぞれ吐出する５つの記録ヘッド２２Ｋ、２２Ｃ、２２Ｍ・・・２２Ｙから構成される。これらの記録ヘッド２２に設けられる吐出口から記録媒体１に対して液滴（インクや処理液）が吐出されることで記録が行なわれる。
【００２６】
タンク２１は、記録ヘッド２２Ｋ、２２Ｃ、２２Ｍ・・・２２Ｈの夫々にインクや処理液を供給する。タンク２１は、各色に対応したインク及び処理液を貯蔵する５つのタンク２１Ｋ、２１Ｃ、２１Ｍ・・・２１Ｈから構成される。これら記録ヘッド２２及びタンク２１は、主走査方向（矢印Ｘ方向）に複数回走査可能に構成される。なお、本実施形態においては、各色に対応したインクのタンク２１には、顔料インクが貯蔵されている。処理液は、この顔料インクを用いて記録媒体上に形成された顔料インク層（以下、インク層と呼ぶ）の最表面に透明層を形成するために用いられる。この処理液による透明層がインク層の最表面に形成されることにより、画像堅牢性のうち、耐擦過性を向上させることができる。
【００２７】
キャップ２０は、５つの記録ヘッド夫々の吐出面をキャップするために、５つのキャップ２０Ｋ、２０Ｃ、２０Ｍ・・・２０Ｈから構成される。記録ヘッド２２及びタンク２１は、記録を行なわないときにはキャップ２０が配されたホームポジションに戻って待機する。そして、記録ヘッド２２のホームポジションでの待機が一定時間に達した場合には、記録ヘッド２２の吐出面（吐出口の形成面）が乾燥するのを防止するために、記録ヘッド２２がキャップされる。
【００２８】
なお、これらの記録ヘッドやタンク、キャップを個別的に言及する場合には、夫々に付された参照番号を用いるが、包括的に言及する場合には総称的な参照番号として、記録ヘッドには「２２」、タンクには「２１」、キャップには「２０」を用いる。また、ここで用いる記録ヘッド及びタンクは、一体的に構成されても良いし、夫々が分離可能に構成されても良い。
【００２９】
ここで、図２は、記録ヘッド２２を吐出口側から見た図である。図２（ａ）では、この記録ヘッド２２Ｋ、２２Ｃ、２２Ｍ・・・２２Ｙには、主走査方向と直交する方向（副走査方向：矢印Ｙ方向）に沿って１２００ｄｐｉの密度で１２８０個の吐出口が配列されており、各色の吐出口列が形成されている。記録ヘッド２２Ｈは、記録ヘッド２２Ｋ、２２Ｃ、２２Ｍ・・・２２Ｙに対して副走査方向（矢印Ｙ方向）に沿って記録媒体の搬送方向の下流側にずれて配置されており、６４０個の吐出口が配列されている。各吐出口２３から１度に吐出されるインクの吐出量は、例えば、約４．５ｎｇである。
【００３０】
（インクの組成）
次に、本実施形態で用いるインクと処理液の組成について説明する。以下、「部」および「％」とあるのは、特に断りのない限り、質量基準である。
【００３１】
（ブラックインク）
（１）分散液の作製
まず、アニオン系高分子Ｐ−１［スチレン／ブチルアクリレート／アクリル酸共重合体（重合比（重量比）＝３０／４０／３０）酸価２０２、重量平均分子量６５００に、水酸化カリウム水溶液で中和し、イオン交換水で希釈して均質な１０質量％ポリマー水溶液を作成した。
【００３２】
上記ポリマー溶液を６００ｇ、カーボンブラックを１００ｇおよびイオン交換水を３００ｇ、を混合し、機械的に所定時間撹拌した後、遠心分離処理によって、粗大粒子を含む非分散物を除去してブラック分散液とする。得られたブラック分散液は、その顔料濃度が１０質量％であった。
【００３３】
（２）インクの作製
インクの作製は、上記ブラック分散液を使用し、これに以下の成分を加えて所定の濃度にする。そして、これらの成分を十分に混合撹拌した後、ポアサイズ２．５μｍのミクロフィルター（富士フイルム製）にて加圧濾過し、顔料濃度５質量％の顔料インクを調製した。
上記ブラック分散液      ５０部
グリセリン              １０部
トリエチレングリコール  １０部
アセチレングリコールＥＯ付加物（川研ファインケミカル株式会社製）        ０．５部
イオン交換水      ２９．５部
【００３４】
（シアンインク）
（１）分散液の作製
まず、ベンジルアクリレートとメタクリル酸を原料として、常法により、酸価２５０、数平均分子量３０００のＡＢ型ブロックポリマーを作り、水酸化カリウム水溶液で中和し、イオン交換水で希釈して均質な５０質量％ポリマー水溶液を作成した。
【００３５】
上記のポリマー溶液を２００ｇ、Ｃ．Ｉ．ピグメントブルー１５：３を１００ｇおよびイオン交換水を７００ｇ、を混合し、機械的に所定時間撹拌した後、遠心分離処理によって、粗大粒子を含む非分散物を除去してシアン分散液とした。得られたシアン分散液は、その顔料濃度が１０質量％であった。
【００３６】
（２）インクの作製
インクの作製は、上記シアン分散液を使用し、これに以下の成分を加えて所定の濃度にする。そして、これらの成分を十分に混合撹拌した後、ポアサイズ２．５μｍのミクロフィルター（富士フイルム製）にて加圧濾過し、顔料濃度２質量％の顔料インクを調製した。
上記シアン分散液        ２０部
グリセリン              １０部
ジエチレングリコール    １０部
アセチレングリコールＥＯ付加物（川研ファインケミカル株式会社製）    ０．５部
イオン交換水    ５９．５部
【００３７】
（マゼンタインク）
（１）分散液の作製
まず、ベンジルアクリレートとメタクリル酸を原料として、常法により、酸価３００、数平均分子量２５００のＡＢ型ブロックポリマーを作り、水酸化カリウム水溶液で中和し、イオン交換水で希釈して均質な５０質量％ポリマー水溶液を作成した。
【００３８】
上記ポリマー溶液を１００ｇ、Ｃ．Ｉ．ピグメントレッド１２２を１００ｇおよびイオン交換水を８００ｇ、を混合し、機械的に所定時間撹拌した後、遠心分離処理によって、粗大粒子を含む非分散物を除去してマゼンタ分散液とした。得られたマゼンタ分散液は、その顔料濃度が１０質量％であった。
【００３９】
（２）インクの作製
インクの作製は、上記マゼンタ分散液を使用し、これに以下の成分を加えて所定の濃度にする。そして、これらの成分を十分に混合撹拌した後、ポアサイズ２．５μｍのミクロフィルター（富士フイルム製）にて加圧濾過し、顔料濃度４質量％の顔料インクを調製した。
上記マゼンタ分散液      ４０部
グリセリン              １０部
ジエチレングリコール    １０部
アセチレングリコールＥＯ付加物（川研ファインケミカル株式会社製）  ０．５部
イオン交換水    ３９．５部
【００４０】
（イエローインク）
（１）分散液の作製
まず、アニオン系高分子Ｐ−１［スチレン／ブチルアクリレート／アクリル酸共重合体（重合比（重量比）＝３０／４０／３０）酸価２０２、重量平均分子量６５００に、水酸化カリウム水溶液で中和し、イオン交換水で希釈して均質な１０質量％ポリマー水溶液を作成した。
【００４１】
上記ポリマー溶液を３００ｇ、Ｃ．Ｉ．ピグメントイエロー７４を１００ｇおよびイオン交換水を６００ｇを混合し、機械的に所定時間攪拌した後、遠心分離処理によって粗大粒子を含む非分散物を除去してイエロー分散液とした。得られたイエロー分散液は、その顔料濃度が１０質量％であった。
【００４２】
（２）インクの作製
以下の成分を混合し、十分に攪拌して溶解・分散後、ポアサイズ１．０μｍのミクロフィルター（富士フィルム製）にて加圧濾過して、顔料濃度４質量％の顔料インクを調製した。
上記イエロー分散液    ４０部
グリセリン    ９部
エチレングリコール    １０部
アセチレングリコールＥＯ付加物（川研ファインケミカル株式会社製）    １部
イオン交換水    ４０部
【００４３】
（処理液）
（１）処理液の作製
以下の成分を混合し、十分に攪拌して、処理液を調製した。
滑り性化合物には、市販のアクリルシリコーン共重合体（商品名：サイマックＵＳ−４５０；東亞合成製）：５部
グリセリン：５部
エチレングリコール：１５部
アセチレングリコールＥＯ付加物（川研ファインケミカル株式会社製）：０．５部
イオン交換水：７４．５部
本実施形態の処理液には、記録画像の耐擦過性の向上とブロンズ現象の低減のための透明樹脂材料を含有させている。このような透明樹脂材料としては、ポリジメチルシロキサン成分を共重合した透明樹脂材料があり、これを用いると、インク画像に爪などの外力が加わっても、滑り性が生じ動摩擦係数を効率的に下げることが可能となる。本実施形態では、市販のポリジメチルシロキサン成分を共重合した透明樹脂材料（上述したアクリルシリコーン共重合体：サイマックＵＳ−４５０）を用いる。この処理液は、コートインク、表面コートインク、クリアインク、反応液、向上液と称することもある。
【００４４】
顔料インク層の最表面に透明層を形成し、本実施形態においては、画像堅牢性のうちの耐擦過性を向上させることと画像品位のうちのブロンズ性を向上させることが可能な樹脂材料であればいかなる材料も使用することができる。
【００４５】
［ブロンズ現象の低減手法］
ここで、図６を用いて、ブロンズ現象を低減する手法について説明する。
【００４６】
図６は、インク層が形成された記録媒体の断面の一例を示す図である。なお、インク層は、記録媒体に対して顔料インクが吐出され、当該顔料インクが記録媒体の表面に付着することにより形成される。
【００４７】
符号１００１は記録媒体を示し、符号１００２はインク層を示す。符号１００４は光の入る方向（入射方向）を示し、符号１００５は光が反射して出て行く方向（出射方向）を示す。以下、符号１００４を入射光、符号１００５を反射光と呼ぶ。
【００４８】
ここで、ブロンズ現象とは、入射光が正反射した場合に光の色とは異なる色味に色付く現象のことである。正反射では反射の法則により、光の入射角及び反射角は、インク層１００２の表面に対して同じ角度となる（θｉ＝θｒ）。
【００４９】
ブロンズを測定する場合、まず、符号１００４に示す入射方向側において、白色の光源によって所定の角度からインク層１００２の表面を照射し、正反射した反射光１００５を受光器によって検出する。そして、当該検出されたＣＩＥ  ＸＹＺ表色系における三刺激値ＸｘＹｘＺｘを変換し、当該変換されたＣＩＥ  Ｌ＊ａ＊ｂ＊表色系のＬ＊ａ＊ｂ＊より得られる色相や彩度Ｃ＊などをブロンズの大きさを示す値として取得すれば良い。ブロンズは、映り込んだ照明の像の明るさではなく、その色味（色味を示す値）に関係するため、本実施形態においては、明るさを示す値であるＬ＊の値は評価に用いない。
【００５０】
なお、光源としては、例えば、ハロゲン電球、キセノンランプ、超高圧水銀ランプ、重水素ランプ、ＬＥＤ（Ｌｉｇｈｔ  Ｅｍｉｔｔｉｎｇ  Ｄｉｏｄｅ）、又はこれらのいずれか複数を組み合わせたものを用いれば良い。また、受光器としては、例えば、単受光面形のフォトダイオード、光電管、光電子増倍管や、多素子受光面形のＳｉフォトダイオードアレイ、又はＣＣＤ等を用いれば良い。光源及び受光器は、それぞれ光学（レンズ等）系を備える構成であっても良い。本実施形態においては、コニカミノルタ製ＳＰＥＣＴＲＯＲＡＤＩＯＭＥＴＥＲ  ＣＳ−２０００Ａを用いて色度を測定することによりブロンズを測定する。なお、測定器は、顔料インクのブロンズを測定できれば良く、どのような測定器を用いても良い。
【００５１】
また、記録媒体は、乾燥したインクのブロンズの大きさを測定できれば良く、その種類は限定されない。例えば、ＯＨＰシートなど任意のシート状の媒体であっても構わない。その他、必ずしも記録装置で記録を行なう必要はなく、シート状の媒体表面にインクの層が形成されていれば良い。
【００５２】
ここで、表１は、シアンインクとマゼンタインクとイエローインクとを用いて記録が行なわれた記録媒体上から測定したブロンズに関する測定値を示す。
【００５３】
ブロンズの大きさは、彩度（Ｃ＊）とする。表１の測定結果では、記録媒体に対して、顔料インクを１００％Ｄｕｔｙで吐出し、合計８回の走査のマルチパス記録を行なっている。ここで、本実施形態においては、記録媒体上の１／１２００インチ四方（以下、１２００ｄｐｉ四方と呼ぶ）の領域に対して、インクドットを１ドット吐出することを１００％Ｄｕｔｙとする。なお、表１の測定においては、記録媒体には、キヤノン製フォト光沢紙（商品名「フォト光沢紙［薄口］ＬＦＭ−ＧＰ４２１Ｒ」を使用している。
【００５４】
【表１】
2018012337.tif 000003
【００５５】
表１に示すように、ブロンズ現象は、光源の白色でもなければ、インク本来の色味でもなく、異なる色味の反射光として人の目に映ることがある。また、その強さは、ブロンズ値（Ｃ＊）により測定できる。
【００５６】
表１を参照すると、シアンインク及びマゼンタインクは、イエローインクに比べ、ブロンズ値が大きい。また、シアンインク及びイエローインクには、インク本来の色味とは異なる色味のブロンズが生じている。この中では、シアンインクは、赤味のブロンズを生じており、更にブロンズ値も大きい。そのため、人の目には最も画像品質が悪く感じられる。
【００５７】
図７は、顔料インクにより形成されたインク層の上に、処理液により透明層が形成された記録媒体の断面の一例を示す図である。
【００５８】
符号１００１は記録媒体を示し、符号１００２はインク層を示し、符号１００３は透明層を示す。ここで、入射光１００４は、透明層１００３の表面で正反射する光（表面反射光）１００５と透明層１００３の表面で進行方向の角度を変え透明層１００３の中を進む光１００７とに分かれる。また更に、透明層を通過した光１００７は、インク層１００２の表面で正反射する光１００９と、インク層１００２の表面で進行方向の角度を変えインク層１００２の中を進む光１０１０とに分かれる。
【００５９】
ここで、空気と透明層１００３、透明層１００３とインク層１００２のように、直進する光が異なる媒質の境界で進行方向の角度を変える割合（位相速度の比ともいわれる）のことを屈折率という。
【００６０】
光が屈折率の異なった媒質に入射すると、その界面では必ず反射という現象が発生する。例えば、空気層（屈折率ｎ０）から屈折率ｎ１の媒質へ入射する時には、以下のような強度の反射が発生する。
Ｒ＝（ｎ１−ｎ０）＾２／（ｎ１＋ｎ０）＾２・・・・・（式１）
Ｒ：反射率
ｎ０：空気層の屈折率
ｎ１：媒質の屈折率
これは、フレネル公式の垂直入射の場合の式である。
【００６１】
ここで、本実施形態においては、ブロンズ現象を低減させるため、インク層１００２の表面に透明層１００３を設け、当該設けた透明層１００３の表面での反射光１００５と、透明層１００３及びインク層１００２の界面からの反射光１００６とを干渉させる。
【００６２】
表面反射光１００５の強度は、透明層１００３の屈折率（ｎ１）に依存し、界面反射光１００９の強度は、インク層１００２の屈折率（ｎ）と透明層１００３の屈折率（ｎ１）との差に依存する。
【００６３】
インク層１００２と透明層１００３とは、屈折率の差が大きいため、界面に入射した光の大部分は、界面で反射する。そのため、界面反射光１００９と表面反射光１００５との干渉が生じ易い。逆に、インク層１００２と透明層１００３との屈折率の差が小さい場合には、界面反射光１００９は減少し、干渉が起き難くなる。従って、上述した手法を用いてブロンズ現象を低減させるためには、透明層１００３とインク層１００２との屈折率の差を大きくする必要がある。
【００６４】
ここで、屈折率は、例えば、分光エリプソメータなどを用いて測定すれば良い。分光エリプソメータは、試料にレーザー光を照射し、薄膜の表面で反射した光と、膜の裏面で反射した光との干渉によって生じる偏光状態の変化から、膜厚や屈折率を測定する。なお、測定器は、屈折率を測定できるのであれば、どのような測定器を用いても良い。
【００６５】
続いて、透明層１００３及びインク層１００２から測定した屈折率について説明する。これらの屈折率は、キヤノン製フォト光沢紙（商品名「フォト光沢紙［薄口］ＬＦＭ−ＧＰ１Ｒ」に対して顔料インクを１００％Ｄｕｔｙで吐出し、それにより得られた画像を上記分光エリプソメータを用いて測定した結果である。
【００６６】
透明層１００３（処理液）の屈折率は、約１．４前後となった。また、インク層１００２（顔料インク）の屈折率は、約１．３〜１．８となり、波長分散特性のあるものであった。例えば、ブラックインクの屈折率は、約１．５〜１．６となり、マゼンタインクの屈折率は、約１．５〜１．７となり、シアンインクの屈折率は、約１．３〜１．６となり、イエローインクの屈折率は、約１．７５〜２．２となった。
【００６７】
この結果を踏まえ、以下の説明では、処理液との屈折率の差が大きい顔料インクをマゼンタインク及びイエローインクとし、その差が小さい顔料インクをシアンインク及びブラックインクとして説明する。なお、処理液との屈折率の差が大きいか否かは、例えば、閾値（所定の基準）を設けて分類すれば良い。例えば、上述した測定値に基づいて、ブラックインクの屈折率を１．６（最大値）とし、マゼンタインクの屈折率を１．７（最大値）とし、シアンインクの屈折率を１．６（最大値）とし、イエローインクの屈折率を２．２（最大値）とする。この場合、処理液との屈折率（１．４）に対して所定の基準（例えば０．３）以上の値となっていれば、処理液との屈折率の差が大きいというルールを決めれば、上述したような分類分けが行なえる。
【００６８】
次に、屈折率の差によって生じる反射光の干渉について説明する。まず、（薄膜における）反射光の干渉とは、透明層１００３の表面で反射された光と、層の表面を通過して層の裏側で反射された光とが干渉し合って、強め合ったり打ち消し合ったりし、干渉色が発現する現象のことである。
【００６９】
処理液により形成された透明層１００３の厚さは、一般に、約１００ｎｍ〜５００ｎｍ程度である。このような透明層（透明薄膜層）１００３は干渉色が発生し易い。透明層１００３を通過した光１００７と入射光１００４との間で光路差が発生し、当該光路差の距離と光の波長との関係により光が強め合ったり、弱め合ったりする。
【００７０】
この場合、一般に、以下の式が成り立つ。
ｍ＊λ＝ｎ１＊２ｄ＊ｃｏｓθ＋λ／２・・・・・（式２）
ｍ：整数
ｎ１：透明層の屈折率
ｄ：透明層の厚さ
θ：入射角
この条件を満たす波長λの光が強め合って、強く発色することになる。
【００７１】
表２は、干渉色に関する測定値を示す。この測定値の測定に際しては、シアンインク、（処理液の膜厚が略一定になるように）処理液を順番に記録媒体上に付着させた後、当該記録媒体から測定器を用いて測定を行なう。なお、記録媒体としては、キヤノン製フォト光沢紙（商品名「フォト光沢紙［薄口］ＬＦＭ−ＧＰ４２１Ｒ」を使用している。また、干渉色の測定に用いる測定器としては、コニカミノルタ製ＳＰＥＣＴＲＯＲＡＤＩＯＭＥＴＥＲ  ＣＳ−２０００Ａを用いている。すなわち、当該測定器を用いて、色度を測定している。なお、測定器は、干渉色を測定できるのであれば、どのような測定器を用いても良い。
【００７２】
ここで、シアンインクは、１００％Ｄｕｔｙで吐出されており、処理液は、その吐出Ｄｕｔｙが段階的に切り替えられている。
【００７３】
【表２】
2018012337.tif 000004
【００７４】
表２に示すように、処理液の付着量が少ない場合は干渉色が見られない。式２を満たす波長領域が可視光領域に無いためである。これに対して、処理液の付着量が増加（膜厚が増大）した場合、それに応じて、干渉色となる波長が長くなっている。すなわち、干渉色は、透明層１００３の膜厚ｄに応じて色が変化することになる。
【００７５】
このような態様でインク層１００２及び透明層１００３に入射した光の反射光は、色味を帯びることになる。例えば、画像に映りこんだ蛍光灯の光等は、自然な白色の反射でなく干渉色となる。
ここで、本実施形態に係わる手法を用いて、ブロンズ現象を抑制するためには、
ａ）透明層１００３の膜厚ｄをばらつかせる点
ｂ）透明層（第１の層）１００３とそれに接するインク層（第２の層）１００２との界面で強く反射させ、薄膜干渉を起こす点、
が重要であるといえる。
【００７６】
上記ａ）に示す透明層１００３の膜厚ｄにばらつきについて説明する。なお、透明層１００３の膜厚ｄのばらつきは、例えば、透明層１００３の表面を凹凸形状にすることで実現しても良いし、また、透明層１００３とインク層１００２との界面、つまり、インク層１００２の表面を凹凸形状にすることで実現しても良い。
【００７７】
図１１は、インク層の表面がどの程度の表面粗さ（Ｒａ）になると、干渉色がばらつき、色を相殺するのかをシミュレーションした結果を示している。すなわち、インク層の表面の表面粗さを変化させたときに、干渉色の強さ（Ｃ＊）がどのように変化するかがグラフ化されている。
【００７８】
ここで、干渉色の強さの数値が小さいほど、干渉色は、画像全体として無彩色化する。一般に、約５以下になれば、視覚的に問題無しとされる。透明層１００３の膜厚が３００、７００、１５００μｍの場合、表面粗さ（Ｒａ）が約８０ｎｍ以上になれば、干渉色の強さが約５以下となることが分かる。図１１に示すシミュレーション結果によれば、ブラックインクの表面粗さ（Ｒａ）を、例えば、９０ｎｍにすれば、干渉色の強さが約５以下となる。より具体的には、ブラックインクの表面粗さ（Ｒａ）は、単色記録で表面粗さ（Ｒａ）が約８０ｎｍ以上で且つ１００ｎｍ前後の範囲になるようにすれば良い。
【００７９】
なお、表面粗さ（Ｒａ）とは、中心線平均粗さと呼ばれ、図８に示すように、粗さ曲線を中心線から折り返し、その粗さ曲線と中心線とによって得られた面積を長さＬで割った値をマイクロメートル（μｍ）で表わしたものである。本実施形態においては、表面粗さの測定には、株式会社キーエンス製のＮＡＮＯＳＣＡＬＥ  ＨＹＢＲＩＤ  ＭＩＣＲＯＳＣＯＰＥを使用している。なお、測定器は、インク層の表面粗さを測定できるのであれば、どのような測定器を用いても良い。
【００８０】
透明層１００３やインク層１００２の表面の粗さを粗くする方法は、種々考えられるが、どのような手法を用いても良い。例えば、顔料インクの種類や処方、顔料インクの記録条件、処理液の記録条件などを変更等すれば良い。
【００８１】
また、上記ｂ）に示す薄膜干渉は、透明層１００３と、当該透明層１００３に接するインク層１００２との屈折率の差を大きくすれば生じる。ここで、この屈折率の差の違いにより、各色の顔料インクを記録媒体上に付着させる順番を最適化した場合の有効性について説明する。ここでは、顔料インクのうち、透明層との光学特性（本形態では屈折率）の差が大きかったマゼンタインクと、その差が小さかったシアンインクとを例に挙げて説明する。
【００８２】
図７（ａ）は、マゼンタインクにより形成されたインク層１００２上に透明層１００３が設けられており、図７（ｂ）は、シアンインクにより形成されたインク層１００２上に透明層１００３が設けられている。
【００８３】
ここで、図７（ａ）では、透明層１００３に対して屈折率の差が大きいインク層（マゼンタインク）が透明層１００３の直下に配されている。この場合、入射光１００４は、透明層１００３の表面で反射する光１００５と透明層１００３の内部に進む光１００７に分かれる。光１００７は、透明層１００３の屈折率ｎ１とインク層（マゼンタインク）１００２の屈折率ｎＭとの差が大きいため、その大部分が界面での反射光１００９となる。このような積層構造によれば、界面から強い反射光が得られるので、透明層１００３の表面では、光１００５と光１００６とが干渉し、透明層１００３の膜厚ｄに応じたいろいろな波長の干渉色が生じる。その結果、インク層（マゼンタインク）１００２のブロンズ色を相殺することができるため、人の目には白く映り、画像品位が良く感じられる。
【００８４】
一方、図７（ｂ）では、透明層１００３に対して屈折率の差が小さいインク層（シアンインク）が透明層１００３の直下に配されている。この場合、入射光１００４は、透明層１００３の表面で反射する光１００５と透明層１００３の内部に進む光１００７とに分かれる。光１００７は、透明層１００３の屈折率ｎ１とインク層（シアンインク）１００２の屈折率ｎＣとの差が小さいため、更に、反射光１００９と顔料インク内部に進む光１０１０に分かれてしまう。そのため、透明層１００３とインク層１００２との界面での反射光１００９は弱まり、透明層１００３の表面においては、光１００５と光１００６との干渉が生じ難くなる。すなわち、透明層１００３とインク層１００２との屈折率の差が小さい場合、入射光１００４は、透明層１００３とインク層１００２との界面で反射する光が弱くなり、インク層１００２の内部に進んでしまう。その結果、透明層表面で干渉が起こり難く、顔料インク（シアンインク）のブロンズが目に映ってしまい、人の目には画像品位が悪く感じられる。
【００８５】
以上のように本実施形態においては、透明層１００３とインク層１００２との屈折率の差による干渉の起こり易さに着目し、顔料インクにより記録された画像のブロンズ色を低減させる。すなわち、透明層１００３とインク層１００２との屈折率の差が大きいと、干渉が起こり易くなるので、透明層１００３と屈折率の差が大きくなるようなインク層が透明層１００３と接するように顔料インクを記録媒体上へ付着させる。
【００８６】
（画像処理システムの構成例）
図３は、本発明の代表的な実施例であるインクジェット記録装置における制御系の構成を示すブロック図である。ここでは吐出データ生成手段の説明を行う。ホストコンピュータ（画像入力部）２８は、ハードディスク等の各種記憶媒体に保存されているＲＧＢ形式の多値画像データを、画像処理部に送信する。多値画像データは、ホストコンピュータ２８に接続されたスキャナやデジタルカメラ等の画像入力機器からも受け取ることができる。画像処理部は、入力された多値画像データに後述する画像処理を施して２値画像データに変換する。これにより、複数種類の顔料インクを記録ヘッドから吐出するための２値画像データ（インク用吐出データ）が生成される。また、処理液を吐出するための２値画像データ（処理液用吐出データ）もここで生成される。インクジェット記録装置（画像出力部）３０は、画像処理部で生成された少なくとも２種類以上の顔料インクの２値画像データに基づいて、顔料インクを記録ヘッド２２の走査毎に記録媒体に付与することで画像を記録する。画像出力部３０自体は、ＲＯＭ３０４に記録されたプログラムに従って、ＭＰＵ（Ｍｉｃｒｏ  Ｐｒｏｃｅｓｓｅｏｒ  Ｕｎｉｔ）３０２により制御される。ＲＡＭ３０５は、ＭＰＵ３０２の作業領域や一時データ保存領域として利用される。ＭＰＵ３０２は、ＡＳＩＣ３０３を介して、キャリッジの駆動系３０８、記録媒体の搬送駆動系３０９、記録ヘッドの回復駆動系３１０、および記録ヘッドの駆動系３１１の制御を行う。また、ＭＰＵ３０２はＡＳＩＣ３０３から読み書き可能なプリントバッファ３０６への読み書きが可能な構成になっている。
【００８７】
プリントバッファ３０６は、ヘッドへ転送できる形式に変換された画像データを一時保管する。マスクバッファ３０７は、ヘッドに転送する際にプリントバッファ３０６から転送されるデータの必要に応じてアンド処理する所定のマスクパターンを一時的に保管する。なお、後述する付与順序を異ならせるマルチパス記録の為の複数組のマスクパターンはＲＯＭ３０４内に用意され、実際の記録時に該当するマスクパターンがＲＯＭ３０４から読み出されてマスクバッファ３０７に格納される。
【００８８】
（画像処理）
次に、本実施形態の処理液と顔料インクの吐出データの生成方法を、図４を用いて説明する。図４は、前述の画像処理部のフローチャートであって、この画像処理部において、顔料インクの吐出データと、処理液の吐出データと、が生成される。
【００８９】
具体的には、まず、ホストコンピュータ（画像入力部）２８からＲＧＢ形式の多値画像データが入力される。ＲＧＢ形式の多値画像データは、ステップＳ３１の色変換により、画像形成に用いる複数種類のインク（Ｋ、Ｃ、Ｍ、Ｙ）夫々に対応した多値画像データに変換される。次いで、ステップＳ３２の２値化処理において、記憶されていたパターンに従って、各種インクに対応した多値画像データは各種インクの２値の画像データに展開される。これにより、複数種類の顔料インク夫々を付与するための２値画像データが生成される。
【００９０】
ステップＳ３３では、生成された複数種類の顔料インク（Ｋ、Ｃ、Ｍ、Ｙ）の２値画像データを、ＡＮＤ処理（論理積演算）することによって、処理液の２値画像データが生成される。ここで、この処理液用の２値画像データは、複数種類の顔料インクの２値画像データに基づくことなく記録媒体全域が均一に処理液で覆われるパターンになるように生成してもよい。処理液用の２値画像データの生成方法に限りはない。本実施形態では、顔料インクのドットの有無に関わらず、処理液は約１００％Ｄｕｔｙとなるような処理液用パターンを用いた。
【００９１】
ステップＳ３４では、処理液との屈折率の差が大きい顔料インクＧｒの２値画像データか差の小さい顔料インクＧｒの２値画像データかを判定する。処理液、及び、顔料インクの屈折率の値は、前述したように予め測定され、処理液との屈折率の差が大きい顔料インクＧｒのインク種、差が小さい顔料インクＧｒのインク種もＲＯＭ３０４に予め記憶されている。処理液との屈折率の差が大きい顔料インクＧｒのインクは、ステップＳ３５により、後述の後半マスクパターンを用いてインクの付与量を定めるように設定される。また、差が小さい顔料インクＧｒのインクは、ステップＳ３６により、後述の前半マスクパターンを用いるように設定される。
【００９２】
次いで、ステップＳ３７において、複数種類の顔料インクの２値画像データは、設定されたマスクパターンによる処理により記録ヘッドへ転送できる形式の吐出データへと生成される。
【００９３】
例えば、ステップＳ３２において２値化処理された所定領域の画像が、処理液との屈折率の差が大きい顔料インクＧｒのマゼンタインクと差が小さい顔料インクＧｒのシアンインクで構成されていたとする。この場合、ステップＳ３４にて処理液との屈折率の差が大きい顔料インクＧｒと判定されたマゼンタインクは後半マスクパターンが設定され、ステップＳ３７にて吐出データが生成される。一方、ステップＳ３４にて処理液との屈折率の差が小さい顔料インクＧｒと判定されたシアンインクは前半マスクパターンが設定され、ステップＳ３７にて吐出データが生成される。
【００９４】
このように生成された吐出データに基づき、インクジェット記録装置（画像出力部）３０の記録ヘッドから後述するマルチパス記録方式で顔料インクの吐出を行い、画像を形成する。
【００９５】
（記録動作）
以上の構成の記録装置における本実施形態の前述した特徴的な制御を行う記録動作について説明する。「特徴的な制御」とは、透明層と屈折率の差が大きくなるような顔料インクが透明層と接するように付与順序を制御することである。本実施形態においては、合計８回の記録媒体の単位領域への走査によって、所定の領域毎に顔料インクによる画像を形成するマルチパス記録方式を採用する。顔料インク画像の表面を被覆するための処理液は、顔料インクによる画像の形成が終了した後続けて合計４回の走査によって行われる。なお、処理液の記録方式は、１回の走査でも良く、走査回数や付与方法に限りはない。
【００９６】
顔料インクの画像形成での合計８回の走査では、図９で示すように従来ならば各走査で均等にインクを分配するマスクパターンのように、吐出口列全域に渡ってインクを分配するマスクパターンが用いられる。しかし、本実施形態では、図４で説明したＳ３４により、複数種類の顔料インクの２値画像データのうち、処理液との屈折率の差が大きい顔料インクＧｒの２値画像データか、差が小さい顔料インクの２値画像データかを判定する。差が大きい顔料インクＧｒの２値画像データと判定されたインクの２値画像データには後半マスクパターンが設定され、ステップＳ３７で吐出データへと生成される。図１０（ａ）に後半マスクパターンを示す。合計８回の走査のうち最初の４回の走査では吐出しないようなマスクパターンである。すなわち、最後の走査を含む後半の４回の走査だけで全ての画素に吐出するマスクパターンである。一方、差が小さい顔料インクＧｒの２値画像データと判定されたインクの２値画像データには前半マスクパターンが設定され、ステップＳ３７で吐出データへと生成される。図１０（ｂ）に前半マスクパターンを示す。合計８回の走査のうち最初の４回の走査でのみ吐出するようなマスクパターンである。すなわち、最初の走査を含む前半の４回の走査だけで全ての画素に吐出するマスクパターンである。
【００９７】
例えば、透明層との屈折率の差が大きい顔料インクＧｒのマゼンタインクと差が小さい顔料インクＧｒのシアンインクで前述の例を用いる。ステップＳ３４にて、差が大きい顔料インクＧｒと判定されたマゼンタインクの２値画像データには、後半マスクパターンを用いる。一方、差が小さい顔料インクＧｒと判定されたシアンインクの２値画像データには、前半マスクパターンを用いる。このように、透明層との屈折率の差が小さいシアンインクが透明層と接するより、差が大きいマゼンタインクが透明層と接する方が、透明層と顔料インク層の界面での反射光が強くなる性質がある。その結果、透明層表面で干渉させることができて、顔料インクによるブロンズ色を低減させる効果を上げるのである。処理液の画像形成での合計４回の走査では、図示しないが均等に２５％Ｄｕｔｙに処理液を分配するマスクパターンが用いられる。この処理液に用いるマスクパターンに限りはない。以下においては、この例に沿って説明する。
【００９８】
図５は、前述の例における後半マスクパターンで吐出させるマゼンタインクと前半マスクパターンで吐出させるシアンインクで形成される画像領域の記録方法の説明図である。シアン（Ｃ）インク吐出用の記録ヘッド２２Ｃ、およびマゼンタ（Ｍ）インク吐出用の記録ヘッド２２Ｍは、１２８０個の吐出口が１６０個ずつの８つのブロックＢ１，Ｂ２，Ｂ３，Ｂ４，Ｂ５，Ｂ６，Ｂ７，Ｂ８に８等分される。記録ヘッド２２Ｃは、ブロックＢ１〜Ｂ４の範囲α（図２（ａ）参照）における６４０個の吐出口が用いられ、以下においては、それらのブロックＢ１〜Ｂ４の吐出口をＡ、Ｂ、Ｃ、Ｄ領域の吐出口ともいう。記録ヘッド２２Ｍは、ブロックＢ５〜Ｂ８の範囲β（図２（ａ）参照）における６４０個の吐出口が用いられ、以下においては、それらのブロックＢ５〜Ｂ８の吐出口をｅ、ｆ、ｇ、ｈ領域の吐出口ともいう。処理液吐出用の記録ヘッド２２Ｈは、６４０個の吐出口が１６０個ずつ４つのブロックＢ９，Ｂ１０，Ｂ１１，Ｂ１２に４等分される。記録ヘッド２２Ｈは、ブロックＢ９〜Ｂ１２の範囲γ（図２（ａ）参照）における６４０個の吐出口が用いられる。図５において５０−１，５０−２，５０−３・・・は、記録ヘッドの１つのブロックに相当する記録媒体１上の記録領域である。
【００９９】
まずは、第１走査において、記録領域５０−１の第１走査時の吐出データに基づいて、記録ヘッド２２ＣのＡ領域の吐出口からインクを吐出する。
【０１００】
次に、記録媒体１を、記録ヘッドの１６０個の吐出口の長さ分だけ副走査方向（矢印Ｙ方向）に搬送する。図５においては、記録ヘッドが副走査方向と交差する方向（矢印Ｘ方向）に相対移動するものとして表わされている。その後の第２走査においては、記録領域５０−１の第２走査時の吐出データに基づいて、記録ヘッド２２ＣのＢ領域の吐出口からインクを吐出する。この第２走査時には、記録領域５０−２に対する第１走査が行なわれる。
【０１０１】
同様に第３走査、第４走査が行われる。
【０１０２】
このような第１から第４走査によって、シアン（Ｃ）インクによる記録領域５０−１の画像の記録が終了する。
【０１０３】
次に、記録媒体１を、記録ヘッドの１６０個の吐出口の長さ分だけ副走査方向に搬送する。その後の第５走査においては、記録領域５０−１の第５走査時の吐出データに基づいて、記録ヘッド２２Ｍのｅ領域の吐出口からインクを吐出する。この第５走査時には、記録領域５０−２に対する第４走査と・・・記録領域５０−５に対する第１走査と、が行なわれる。
【０１０４】
次に、記録媒体１を、記録ヘッドの１６０個の吐出口の長さ分だけ副走査方向に搬送する。その後の第６走査においては、記録領域５０−１の第６走査時の吐出データに基づいて、記録ヘッド２２Ｍのｆ両域の吐出口からインクを吐出する。この第６走査時には、記録領域５０−２に対する第５走査と・・・記録領域５０−６に対する第１走査と、が行なわれる。
【０１０５】
同様に第７走査、第８走査が行われる。
【０１０６】
このような第５から第８走査によって、マゼンタ（Ｍ）インクによる記録領域５０−１の画像の形成が終了する。
【０１０７】
次に、記録媒体１を、記録ヘッドの１６０個の吐出口の長さ分だけ副走査方向に搬送する。その後の第９走査においては、記録領域５０−１の第９走査時の吐出データに基づいて、記録ヘッド２２Ｈの吐出口から処理液を吐出する。この第１０走査時には、記録領域５０−２に対する第８走査と・・・記録領域５０−９に対する第１走査と、が行なわれる。
【０１０８】
次に、記録媒体１を、記録ヘッドの１６０個の吐出口の長さ分だけ副走査方向に搬送する。その後の第１０走査においては、記録領域５０−１の第９走査時の吐出データに基づいて、記録ヘッド２２Ｈの吐出口から処理液を吐出する。この第９走査時には、記録領域５０−２に対する第９走査と・・・記録領域５０−１０に対する第１走査と、が行なわれる。
【０１０９】
同様に第１１走査、第１２走査が行われる。
【０１１０】
このような第９から第１２走査によって、処理液（Ｈ）インクによる記録領域５０−１の画像の被覆が終了する。
【０１１１】
以下、同様の走査を繰り返すことにより、記録領域５０−２、５０−３・・・に対する顔料インクによる画像の記録と処理液による画像の被覆が順次終了することになる。
【０１１２】
以上のように、透明層と顔料インクの屈折率の差に応じて、異なる屈折率の顔料インクを付与する記録方法を好適に異ならせることができる。つまり、透明層との屈折率の差が大きい顔料インクＧｒのインクは、透明層と接するように後半の走査で付与し、差が小さい顔料インクＧｒのインクは、透明層と接しないように前半の走査で付与するように、顔料インクの付与順序を制御することができる。これによれば、透明層と顔料インク層の界面での反射光が強まり、透明層表面で干渉を起こすことができるために、顔料インクによるブロンズ色を低減させることができる。
【０１１３】
なお、本実施形態においては、画像形成の合計８回の走査のうち、透明層と屈折率の差が大きい顔料インクＧｒのマゼンタインクは最後の走査を含む４回の走査で、差が小さい顔料インクＧｒのシアンインクは最初の走査を含む４回の走査で、画像形成を行った。しかし、本発明では、顔料インクを付与する走査回数に制限はなく、どちらかの顔料インクＧｒのインクが少ない走査回数でインクを吐出させるなど、各顔料インクＧｒで付与する走査回数が偏ってもよい。
【０１１４】
また、本実施形態においては、透明層と屈折率の差が小さい顔料インクＧｒのシアンインクは図１０（ｂ）に示す前半マスクパターンを用いて最初の走査を含む４回の走査で、画像の形成を行った。しかし、本発明では、透明層と屈折率の差が大きい顔料インクが透明層と接する割合が高くなることでもよいので、差が小さい顔料インクＧｒのインクは従来から用いられる図９に示すような均等の割合のマクスパターンなどでもよい。
【０１１５】
また、本実施形態においては、透明層と屈折率の差が大きい顔料インクＧｒのマゼンタインクを図１０（ａ）に示す後半マスクパターンを用いて最後の走査を含む４回の走査で、画像の形成を行った。しかし、本発明では、透明層と屈折率の差が大きい顔料インクが透明層と接する割合が高くなることでもよいので、複数の走査のうち後半の走査で付与される割合が高ければ効果を上げることができる。そのとき、図１０（ｃ）に示すマスクパターンのように、全８回の走査で吐出するが後半の走査で吐出される割合が高いものを用いてもよい。合計走査回数が７回のように奇数回の場合には、中央の走査である４回目の付与の割合を半分に分けて、中央より前の１〜３回目と中央より後の５〜７回目とに均等に分配した場合に、中央より後側の走査の割合が高くなっていればよい。
【０１１６】
また、透明層と屈折率の差が大きくなる顔料インクＧｒのインクが透明層と接するように顔料インクの吐出データを分配する方法としてマスクパターンを利用したが、他の分配方法でもよい。
【０１１７】
また、本実施形態では、透明層と接するインクを屈折率の差のみで判定したが、付与量、画像の濃度、画像の階調なども考慮に入れて、判定してもよい。また、透明層と接するように後半の走査で付与するための割合や走査回数なども、上記条件などにより異ならせてもよい。
【０１１８】
また、本実施形態においては、処理液との屈折率の差が大きい顔料インクＧｒ（マゼンタインク、イエローインク）と差が小さい顔料インクＧｒ（シアンインク、ブラックインク）と分類した。しかし、分類する数はこの限りではない。この場合であっても、複数の所定値や複数のマスクパターンなどを用意すれば、前述した実施形態と同様である。
【０１１９】
また、本実施形態では、最表層を形成するインクとして画像形成に用いる顔料インクの他に、これら顔料インクによる画像性能（前述の実施例では耐擦過性）を向上させる処理液を別に用いた。従って、基本的には、画像形成とは別使用なので、無色透明に近い状態が好ましい。しかし、有色でもライトシアンインクやライトマゼンタインク、ライトグレーインクなど画像形成に用いる顔料インクのうち淡色の顔料インクの一部、又は全てに耐擦過性などの機能を向上させる材料を追加し、最表層を形成するインクとして用いてもよい。この場合、インクタンクや記録ヘッドなどの１色分の追加部品が要らないので、小型化や低コスト化に大いに貢献できる。もちろん、画像形成に用いる顔料インクのうちの濃色の顔料インクの一部もしくは全てが処理液を兼ねても良い。
【０１２０】
図１５は本実施形態による記録方法によって記録された記録物の一例を記録媒体に垂直に切断した断面の様子を模式的に示した図である。
【０１２１】
図１５に示すように屈折率がＡ＝ｎＣであり、インクＡにより形成された第１の層１０１１が記録媒体１００１上に設けられている。そして屈折率がＢ＝ｎＭ（ｎＭ＜ｎＣ）であり、インクＢにより形成される第２の層１００２が第１の層上に設けられている。さらに屈折率がＣ＝ｎ１（ただしｎ１＞ｎＣ＞ｎＭ）であり、記録物の表層を形成する第３の層１００３として、インクＣまたは透明な樹脂材料で形成される層が第２の層上に設けられている。本実施形態においてはインクＡとしては例えばシアンインク、インクＢとしてはマゼンタインク、そして、第３の層１００３は処理液によって、それぞれ形成されている。これにより表層１００３との屈折率との差が大きい方のインクＢの第２の層が差が小さい方のインクＡの第１の層１０１１よりも表層側に形成される。透明層である第１の層１００３に対して屈折率の差が大きい方の第２の層が透明な樹脂である第３の層１００３の直下に配されている。この場合、入射光１００４は、第３の層１００３の表面で反射する光１００５と第３の層１００３の内部に進む光１００７に分かれる。光１００７は、第３の層１００３の屈折率ｎ１と第２の層１００２の屈折率ｎＭとの差が、第３の層１００３の屈折率ｎ１と第１の層の屈折率ｎＣとの差より大きいため、第１の層が第３の層の直下にある場合に比べて界面での反射光１００９を大きく出来る。このような積層構造によれば、界面から反射光を促進し、透明層１００３の表面では、光１００５と光１００６とが干渉することによるブロンズ現象の低減が図られる。第１の層１０１１は必ずしも最下層である必要はない。第１の層１０１１よりも記録媒体側にインクＡの色と異なる色のインクＤにより形成される第４の層が設けられていてもよい。
【０１２２】
また、記録媒体の表面の記録が行われた部分の面積に対して、第１の層１０１１、第１の層１０１１より屈折率が小さい第２の層１００２、第１の層より屈折率が大きい第３の層１００３、の順に積層された積層物の面積が５０パーセント以上を占めることが好ましい。７０パーセント以上を占めることがより好ましく、９０パーセント以上を占めることがさらに好ましい。
【０１２３】
（第２の実施形態）
前述の実施形態では、顔料インクによる画像の耐擦過性を向上させるため、画像を処理液による透明層で覆った場合において、透明層と屈折率の差が大きい顔料インクＧｒが透明層と接するように付与順序を制御した。その結果、顔料インクのブロンズ色を低減させることができた。本実施形態では、処理液による透明層ではなく、淡色の顔料インクに耐擦過性を向上させる機能を持たせ、淡色の顔料インクが画像の最表層になるように記録した場合について説明する。更に、前述の実施形態では、最表層の透明層と接する顔料インクを屈折率の差を用いて設定したが、本実施形態では、光学特性として測定方法が容易であり、屈折率とも非常に相関のある反射光の色味の差を用いる。すなわち、最表層の淡色の顔料インク層と反射光の色味の差が大きい顔料インクＧｒが最表層の淡色の顔料インク層と接するように付与順序を制御する。また更に、最表層となる淡色の顔料インクと濃色の顔料インクが最適な組み合わせで接するように、インクドット単位で付与順序を制御する方法についても説明する。なお、前述した実施形態と同様の部分については、説明を省略する。
【０１２４】
（全体的構成）
本実施形態のインクジェット記録装置の全体の構成は、図１に対し処理液（Ｈ）部が無いものであるため説明を省略する。記録ヘッド２２Ｋ、２２Ｃ、２２Ｍ、２２Ｙには、主走査方向と直交する方向に沿って１２００ｄｐｉの密度で１２８０個の吐出口が配列されて、各色の吐出口列を形成している（図２（ｂ）参照）。記録ヘッド２２ＬＣ、２２ＬＭは、記録ヘッド２２Ｋ、２２Ｃ、２２Ｍ、２２Ｙと主走査方向と直交する方向で記録媒体の紙送り下流側にずれて、１２８０個の吐出口が配列されている（図２（ｂ）参照）。
【０１２５】
（インクの組成）
本実施形態で用いるインクは、前述したものに加え、ライトマゼンタ、ライトシアンインクを用いる。ライトマゼンタインク、及び、ライトシアンインクには、処理液の組成に用いられた透明樹脂材料を含有してあるため、処理液と同様に耐擦過性を向上させる機能を備える。
【０１２６】
（ライトマゼンタインク）
（１）分散液の作製
マゼンタインクで使用したポリマー溶液を１００ｇ、Ｃ．Ｉ．ピグメントレッド１２２を１００ｇおよびイオン交換水を８００ｇ、を混合し、機械的に所定時間撹拌した後、遠心分離処理によって、粗大粒子を含む非分散物を除去してマゼンタ分散液とした。得られたマゼンタ分散液は、その顔料濃度が１０質量％であった。
【０１２７】
（２）インクの作製
インクの作製は、上記マゼンタ分散液を使用し、これに以下の成分を加えて所定の濃度にする。そして、これらの成分を十分に混合撹拌した後、ポアサイズ２．５μｍのミクロフィルター（富士フイルム製）にて加圧濾過し、顔料濃度４質量％の顔料インクを調製した。
【０１２８】
なお、耐擦過性を向上させるための樹脂として、市販のアクリルシリコーン共重合体を用いる。
上記マゼンタ分散液      ８部
アクリルシリコーン共重合体（商品名：サイマックＵＳ−４５０；東亞合成製）  ５部グリセリン    １０部
ジエチレングリコール    １０部
アセチレングリコールＥＯ付加物（川研ファインケミカル株式会社製）  ０．５部
イオン交換水    ６６．５部
【０１２９】
（ライトシアンインク）
（１）分散液の作製
シアンインクで作成したポリマー溶液を２００ｇ、Ｃ．Ｉ．ピグメントブルー１５：３を１００ｇおよびイオン交換水を７００ｇ、を混合し、機械的に所定時間撹拌した後、遠心分離処理によって、粗大粒子を含む非分散物を除去してシアン分散液とした。得られたシアン分散液は、その顔料濃度が１０質量％であった。
【０１３０】
（２）インクの作製
インクの作製は、上記シアン分散液を使用し、これに以下の成分を加えて所定の濃度にする。そして、これらの成分を十分に混合撹拌した後、ポアサイズ２．５μｍのミクロフィルター（富士フイルム製）にて加圧濾過し、顔料濃度２質量％の顔料インクを調製した。
【０１３１】
なお、耐擦過性を向上させるための樹脂として、市販のアクリルシリコーン共重合体を用いる。
上記シアン分散液          ４部
アクリルシリコーン共重合体（商品名：サイマックＵＳ−４５０；東亞合成製）  ５部グリセリン    １０部
ジエチレングリコール    １０部
アセチレングリコールＥＯ付加物（川研ファインケミカル株式会社製）    ０．５部
イオン交換水    ７０．５部
【０１３２】
（特徴的構成）
本実施形態では、淡色の顔料インクを画像の最表層となるように構成する。下の表は、ライトシアンインクとライトマゼンタインクを付与した場合のブロンズの様子である。
【０１３３】
【表３】
2018012337.tif 000005
【０１３４】
この表のように、淡色の顔料インクは、濃色の顔料インクに比べ、ブロンズ値が小さい。これは、本実施形態で用いた淡色の顔料インクには耐擦過性を向上させる機能を持つ透明樹脂材料を含有しているためである。樹脂は顔料（色材）と比較すると、正反射光が光源色に近い色に反射される。つまり、分光強度の波長依存性が小さいのである。そのため、樹脂が多く含有している淡色の顔料インクの方が、よりブロンズ値が小さいと考えられる。このことから、ブロンズ値の小さい淡色の顔料インクを濃色の顔料インクの上から付与する、すなわち、画像の最表層に淡色の顔料インクを用いることによって、画像のブロンズも抑える効果が得られているのである。
【０１３５】
また、本実施形態では、屈折率の差の代わりに、屈折率と相関が高く、測定も容易な反射光の色味の差を用いて、顔料インクの付与順序を制御する。
【０１３６】
屈折率は光の波長によって変化するため、波長分散性を有する。そのため、光が斜め方向から進入すると波長ごとに屈折する角度が異なることになり、それが目に入ったときに色がついて見える。なぜ、波長によって屈折率の違いが起きるのか、という物理的原理の説明は数多くの文献があるため、ここでは省略する。記録媒体の上に単色の顔料インクによる顔料インク層を形成した画像に、白色光源をある角度で顔料インク層に入射すると、屈折率に応じて、顔料インクごとに違った色味を帯びて反射してくる。顔料インクを２種類選んだ場合、それらの正反射光の色差（ΔＥ）が大きいと屈折率の差も大きいため干渉が起きやすく、それらの正反射光の色差が小さいと屈折率の差も小さいため干渉が起き難い、と言える。その測定として、本検討では、コニカミノルタ製ＳＰＥＣＴＲＯＲＡＤＩＯＭＥＴＥＲ  ＣＳ−２０００Ａにより色度を測定した。なお、正反射光の色を測定できるのであれば、測定器は上記例示したものに限定されるものではない。
【０１３７】
以下の表は、ライトシアンインクと濃色の各色インク、ライトマゼンタインクと濃色の各色インクの色差（ΔＥ）を測定した結果である。また、ライトシアンインク、ライトマゼンタインクを最表層として、濃色の各色インクが接した場合の干渉の様子も示す。正反射光の測定では、記録動作は合計８回の走査のマルチパス記録により、顔料インクを１００％Ｄｕｔｙで付与した。干渉の様子の目視評価では、濃色の顔料インクを１００％Ｄｕｔｙで付与した後に、淡色の顔料インクを１００％Ｄｕｔｙで付与した。本検討において記録媒体はキヤノン製フォト光沢紙（商品名「フォト光沢紙［薄口］ＬＦＭ−ＧＰ４２１Ｒ」を使用した。
【０１３８】
【表４】
2018012337.tif 000006
【０１３９】
この表４のように、最表層の淡色の顔料インクとそれと接する顔料インク層との正反射光の色差が大きいと干渉が起きやすく、差が小さいと干渉が起き難いことが分かる。また、干渉の起こるインク組み合わせ、起きないインク組み合わせは、インクの種類によって異なり、かつ、正反射光の色差の大きさに寄ることがわかる。すなわち、ライトシアンインクが最表層の場合、マゼンタインク、イエローインク、ブラックインクが接すると干渉が起こり易くなる。また、ライトマゼンタインクが最表層の場合、シアンインクが接すると干渉が起こり易くなる。このように、顔料インクの付与順序を最適化することで、顔料インク画像のブロンズ色を低減させることができる。
【０１４０】
（画像処理）
次に、本実施形態の吐出データの生成方法について説明する。
まず、ホストコンピュータ（画像入力部）２８からＲＧＢ形式の多値画像データが入力される。ＲＧＢ形式の多値画像データは、画像形成に用いる複数種類のインク（Ｋ、Ｃ、Ｍ、Ｙ、ＬＣ、ＬＭ）夫々に対応した多値画像データに変換される。次いで、予めＲＯＭ３０４に記憶されていた後述するインデックスパターンに従って、各種インクに対応した多値画像データは各種インクの２値の画像データに展開される。この２値化処理は、インデックスパターンを用いることにより、インデックスパターン展開処理とも称する。これにより、複数種類の顔料インク夫々を付与するための２値画像データが生成される。本実施形態では、複数種類のインク（Ｋ、Ｃ、Ｍ、Ｙ、ＬＣ、ＬＭ）のうち、ライトシアンインクと正反射光の色差が大きい（所定の基準以上異なる）顔料インクＧｒは、類似なインデックスパターンを用いて２値化処理が行われる。また、ライトマゼンタインクと正反射光の色差が大きい顔料インクＧｒは、後述する別の類似なインデックスパターンを用いて２値化処理が行われる。顔料インクの正反射光の値は、ＲＯＭ３０４に予め記憶されている。
【０１４１】
本実施形態で用いた顔料インクにおいては、前述したように、ライトシアンインクと正反射光の色差が大きい濃色の顔料インクは、マゼンタインク、イエローインク、ブラックインクであった。また、ライトマゼンタインクと正反射光の色差が大きい濃色の顔料インクは、シアンインクであった。従って、ライトシアンインクとマゼンタインク、イエローインク、ブラックインクは、類似なインデックスパターンにより２値化処理されるのが好ましい。また、ライトマゼンタインクとシアンインクは、別の類似なインデックスパターンにより２値化処理されるのが好ましい。しかし、全てのインクを必ずどちらかの淡色の顔料インクと類似なインデックスパターンに設定しなくてもよい。正反射光の色差が小さい場合、あるいは、特に偏りが無い場合などには、淡色の顔料インクのインデックスパターンと類似していない別の新たなインデックスパターンにより２値化されてもよい。
【０１４２】
次いで、複数種類の顔料インクの２値画像データは、ＲＯＭ３０４内に複数種類用意された図９に例を示すような通常用いるマスクパターンが夫々設定され、マスクパターン処理により記録ヘッドへ転送できる形式の吐出データへと生成される。
【０１４３】
このように生成された吐出データに基づき、インクジェット記録装置（画像出力部）３０の記録ヘッドからマルチパス記録方式で顔料インクの吐出を行い、画像を形成する。
【０１４４】
以下、前述したインデックス展開処理について、簡単に説明する。
図１３は、一般的なインデックス展開処理を説明するための模式図である。インデックス展開処理とは、ホストコンピュータ（画像入力部）から入力された数段階の多値画像データ（階調データ）をインクジェット記録装置（画像出力部）が記録可能なドットの記録・非記録を定めた２値画像データに変換するための処理である。図１３において、左側に示した多値画像データ（階調データ）００〜１１は、画像処理の色変換により多値化された２ｂｉｔの画像データの値を示している。本実施形態の場合、この段階のデータは６００ｄｐｉの解像度を有している。この単位の画素（すなわち、ホストコンピュータから入力され数レベルの階調値を有する画素）を、以後単位画素と称する。一方、それぞれの数値に対応する形で右側に示したパターンは実際にドットの記録・非記録を定めたパターンであり、個々の四角は、主走査方向１２００ｄｐｉ×副走査方向１２００ｄｐｉの解像度で配列している。この四角の単位（インクジェット記録装置が実際にドットの記録・非記録を定める最小単位）を、以後記録画素と称する。黒はドットを記録する記録画素を示し、白はドットを記録しない記録画素を示している。すなわち、本実施形態において、１つの単位画素の領域は２×２の記録画素群の領域に相当する。図１３では、１単位画素が有する階調データの値が増加するほど、２×２記録画素群内の記録画素（黒四角）が増えているのがわかる。
【０１４５】
以下に本実施形態に対応するドット配置に関して説明する。
図１３は、本実施形態で用いる複数種類のインク（Ｋ、Ｃ、Ｍ、Ｙ、ＬＣ、ＬＭ）夫々に対応したインデックスパターンを示したものである。ブラックインクの階調データ１０に対応するドット配置は、２Ｋに示してある。同様にシアンインク、マゼンタインク、イエローインク、ライトシアンインク、ライトマゼンタインクは、Ｃ、Ｍ、Ｙ、ＬＣ、ＬＭの符号に夫々対応している。本実施形態では、ライトシアンインクとの正反射光の色差が大きいマゼンタインクは、同一のインデックスパターンを用いた。同様に、ライトマゼンタインクとの正反射光の色差が大きいシアンインクは、同一のインデックスパターンを用いた。また、イエローインクとブラックインクは、ブロンズ以外の画像品位の評価を行った結果、夫々別のインデックスパターンを用いることとした。
【０１４６】
例えば、ライトシアンインク、シアンインク、マゼンタインク、イエローインクで単位画素の画像が形成される場合において、それらのインクの階調値が全て１０である画像のドット配置を図１４（ａ）に示した。図２（ｂ）に示した記録ヘッドの構成により最表面となるライトシアンインクのドットと接する確率が高くなるように選択的に配置されるのは、マゼンタインクとなる。これによって、干渉を起こり易くさせブロンズを低減する効果を得ることができる。
【０１４７】
本実施形態では、２ｂｉｔの多値画像データを用いたため、階調数が４段階である。しかし、記録画素の解像度を高くすると、例えば、２４００×１２００ｄｐｉの場合、４ｂｉｔの多値画像データを生成することができ、単位画素は４×２の記録画素群の９階調数とすることができる。この場合、複数種類のインデックスパターンを設定することができるため、各階調でのドットの重なり具合を制御して、干渉の置きやすいドット配置を夫々の顔料インクに設定することになる。
【０１４８】
（記録動作）
本実施例の前述した特徴的な制御を行う記録動作について説明する。「特徴的な制御」とは、淡色の顔料インクによる最表層と正反射光の色差が大きくなるような顔料インクが最表層と接するように付与順序を制御することである。本例においては、淡色の顔料インクは８回の走査によって最表層を形成し、残りの顔料インクも８回の走査によって最表層の下の画像層を形成する合計１６回走査のマルチパス記録方式を採用する。なお、記録方式の走査回数や付与方法に限りはない。
具体的な記録方法は、前述の記録方法を用いるため、説明を省略する。
【０１４９】
以上のように、最表層の淡色の顔料インクとそれと接する濃色の顔料インクとの正反射光の色差に応じて、複数の組み合わせの淡色／濃色の顔料インクを付与する記録方法を好適に異ならせることができる。つまり、最表層の淡色の顔料インクと正反射光の色差が大きくなる濃色の顔料インクのインデックスパターンを同様にすることで、最適な組み合わせの顔料インクのドット同士が接するようにインクの付与順序を制御することができる。これによれば、正反射光の色差は屈折率の差と相関があるため、淡色の顔料インクによる最表層とその下の顔料インク層との界面での反射光が強まり、最表層表面での干渉により顔料インクによるブロンズを低減させることができる。
【０１５０】
なお、本実施形態においては、正反射光の色差としてΔＥを用いたが、色相差などを用いても屈折率の差との相関があるためよい。
【０１５１】
また、本実施形態においては、最表層を形成するインクを淡色の顔料インク（ＬＣ、ＬＭ）とし、所定領域（単位画素）の最表層を形成するインクの具体的な例としてライトシアンインクの場合について説明した。しかし、所定領域の最表層を形成するインクとして、ライトシアンインクとマゼンタインクの両方を用いて最表層としてもよく、その場合、混色したときの正反射光の色が予め記憶させていれば、最表層と接する顔料インクを決定することができる。本実施形態で用いた記録ヘッドは、淡色の顔料インクが濃色の顔料インクの上に付与される構成であるため、淡色の顔料インクを合わせて最表層とすることができる。これは、濃色の顔料インクとは異なり、淡色の顔料インクにのみ透明樹脂材料を含有させ、第２の実施形態での処理液と同様な働きをするからである。あるいは、淡色の顔料インクのうち、どちらかのインクに注目し、最表層と接する顔料インクを決定しても、従来の実施形態よりも画像の最表層での干渉が起り易くなり、その結果ブロンズを軽減することができる。
【０１５２】
また、本実施形態では、最表層を形成するインクとして画像形成に用いる顔料インクのうち画像性能（前述の実施例では耐擦過性）を向上させるライトシアンインクやライトマゼンタインクを用いた。しかし、更に無色透明に近い処理液を追加してもよい。ライトシアンインクやライトマゼンタインクと同時に記録させてもよいし、それらを覆うように記録させてもよい。その場合、前述の実施形態で用いた制御の組み合わせによって、最適な制御を行うのが好ましい。また、最表層を形成するインクとして淡色の顔料インクではなく、濃色の顔料インクでもよい。
【０１５３】
（第３の実施形態）
前述の実施形態では、淡色の顔料インクに耐擦過性を向上させる機能を持たせ、淡色の顔料インクが画像の最表層になるように記録した場合に、淡色の顔料インク毎に最適な濃色の顔料インクが接するように、インクドット単位で付与順序を制御した。その結果、顔料インクのブロンズ色を低減させることができた。本実施形態では、淡色の顔料インクと濃色の顔料インクの最適な組み合わせのインクドットが接する確率が上がるように、濃色の顔料インクの付与順序を制御する場合について説明する。なお、前述した実施形態と同様の部分については、説明を省略する。
【０１５４】
（全体的構成）
本実施形態のインクジェット記録装置の全体の構成、記録ヘッドの構成、及び、インクの組成などは、前述の実施形態と同じものであるため説明を省略する。
【０１５５】
（画像処理）
次に、本実施形態の吐出データの生成方法について説明する。
【０１５６】
具体的には、まず、ホストコンピュータ（画像入力部）２８からＲＧＢ形式の多値画像データが入力される。ＲＧＢ形式の多値画像データは、画像形成に用いる複数種類のインク（Ｋ、Ｃ、Ｍ、Ｙ、ＬＣ、ＬＭ）夫々に対応した多値画像データに変換される。次いで、予めＲＯＭ３０４に記憶されていたインデックスパターンに従って、各種インクに対応した多値画像データは各種インクの２値の画像データに展開される（インデックスパターン展開処理）。これにより、複数種類の顔料インク夫々を付与するための２値画像データが生成される。本実施形態では、前述同様、ライトシアンインクと同じインデックスパターンを用いて２値化処理が行われるのは、ライトシアンインクとの正反射光の色差が大きい顔料インクＧｒであるマゼンタインクである。また、ライトマゼンタインクと同じインデックスパターンを用いて２値化処理が行われるのは、ライトマゼンタインクとの正反射光の色差が大きい顔料インクＧｒであるシアンインクである。イエローインクとブラックインクは、夫々別のインデックスパターンを用いて２値化処理が行われる。
【０１５７】
次いで、淡色の顔料インクの２値画像データは、ＲＯＭ３０４内に複数種類用意されたマスクパターンのうち図９に例を示すような通常用いるマスクパターンが夫々設定され、マスクパターン処理により記録ヘッドへ転送できる形式の吐出データへと生成される。濃色の顔料インクの２値画像データのうち、淡色の顔料インクと正反射光の色差が大きいマゼンタインクとシアンインクの２値画像データには、淡色の顔料インクと接する確率が高くなるように図１０（ａ）に示す後半マスクパターンが設定される。残りのイエローインクとブラックインクの２値画像データには、図１０（ｂ）に示す後半マスクパターンが設定される。次いで、マスクパターン処理により記録ヘッドへ転送できる形式の吐出データへと生成される。
【０１５８】
このように生成された吐出データに基づき、インクジェット記録装置（画像出力部）３０の記録ヘッドからマルチパス記録方式で顔料インクの吐出を行い、画像を形成する。
【０１５９】
例えば前述の実施形態では、ライトシアンインク、シアンインク、マゼンタインク、イエローインクで単位画素の画像が形成される場合において、それらのインクの階調値が全て１０である画像のドット配置を図１４（ａ）に示した。本実施形態では、図１４（ｂ）に示すように、ライトシアンインクとの正反射光の色差が大きいマゼンタインクは、最表面となるライトシアンインクのドットと接する確率が更に高くなるように選択的に配置される。これによって、干渉を起こり易くさせブロンズを低減する効果を得ることができる。
【０１６０】
以上のように、最表層の淡色の顔料インクとそれと接する濃色の顔料インクとの正反射光の色差に応じて、インデックスパターンとマスクパターンを用いて複数の組み合わせの淡色／濃色の顔料インクを付与する記録方法を好適に異ならせることができる。つまり、最適な顔料インク同士のドットが接するように、最表層の淡色の顔料インクと正反射光の色差が大きくなる濃色の顔料インクのインデックスパターンを同様にし、その濃色の顔料インクを後半の走査で付与するように付与順序を制御することができる。これによれば、最表層表面での干渉が起こりやすい最適な組み合わせの顔料インクのドット同士が接する確率が高まり、顔料インクによるブロンズを低減させることができる。
【０１６１】
なお、本実施形態においては、濃色の顔料インク夫々に対応するマスクパターンを画像全域に渡って用いられるように設定したが、所定領域（単位画素、記録画素など）毎に最適なマスクパターンを用いるように設定してもよい。その場合、所定領域毎に用いる淡色の顔料インクの種類（例えば、ライトシアンインク、ライトマゼンタインク、それらの混色など）を判断して、その結果に応じて濃色の顔料インク夫々のマスクパターンを設定するとよい。これによれば、前述の実施形態より更に、最適な組み合わせの顔料インクのドット同士が接する確率が高くなり、最表層表面での干渉によるブロンズ低減を行うことができる。
【０１６２】
（第４の実施形態）
前述の実施形態では、最表層の顔料インクとの屈折率の差、あるいは、正反射光の色差が大きくなる顔料インクが最表層と接するように付与順序を制御した。その結果、顔料インクのブロンズ色を低減させることができた。本実施形態では、反射された光を波長ごとに細かく分光して、各波長ごとの反射率を関数として表わした反射スペクトルの差を用いる。反射スペクトルの大きく異なる２層の膜の間では、界面反射を起こすことが予測される。従って、最表層の顔料インクと反射スペクトルの差が大きくなる顔料インクが最表層と接するように付与順序を制御する。反射スペクトルの違いは、例えば以下のような計算によって、反射スペクトルの差分の絶対量を求めることができる。反射スペクトルの差分の自乗を積分した値を求めたものである。
【０１６３】
【数１】
2018012337.tif 000007
【０１６４】
なお、具体的な制御方法などは前述した実施形態と同様のため説明を省略する。
なお、測定には、一般的な分光測色計（例えば、コニカミノルタ製分光測色計ＣＭ−２６００ｄ）などを用いれば、容易に測定できる。
【０１６５】
（その他の実施形態）
前述の実施形態において、顔料インクを吐出するためのノズルを構成する吐出口と、処理液を吐出するためのノズルを構成する吐出口と、が主走査方向と交差する方向（例えば、副走査方向）にずれるように記録ヘッドが構成されている。しかし、それらの吐出口が主走査方向に並ぶように、構成された記録ヘッドを用いることもできる。また、処理液吐出用のノズルの数が顔料インク吐出用のノズルよりも多くて、前者のノズルの列が後者のノズルの列よりも長くてもよい。淡色の顔料インクを吐出するためのノズルを構成する吐出口と、濃色の顔料インクを吐出するためのノズルを構成する吐出口と、においても同様である。
【０１６６】
また、前述の第１の実施形態では、最表層に用いるインクを処理液とし、第２の実施形態では、ライトシアンインクとライトマゼンタインクとしたが、最表層に用いるインクの種類と数に限りはない。すなわち、濃色のマゼンタインクやシアンインクが最表層でもよい。その場合、処理液や淡色の顔料インクに含有した透明樹脂材料を、濃色の顔料インクに含有させるほうが好ましい。また、所定領域毎に、最表層のインクの種類が異なっていてもよい。
【０１６７】
また、前述の実施形態では、最表層と最表層と接する顔料インク及び最表層と接しない顔料インク、と組み合わせ２〜３段階の付与順序を決定した。しかし、付与順序の分割数に限りはないため４段階の付与順序としてもよい。また、２層目（最表層と接する顔料インク層）と３層目（最表層と接しない顔料インク層）との界面での反射についても、前述の実施形態を応用してもよい。また、所定領域の画像を形成するインクが、最表層と最表層と接する顔料インクの２種類しかない場合、更には、最表層のインクのみの１種類しかない場合には、付与順序の変更を行う必要がない、または、変更できないため、そのままの付与順序とする。
【０１６８】
また、前述の実施形態では、耐擦過性の機能を向上させるための処理液や顔料インクを具体例として例示した。しかし、本発明で適用可能な顔料インク、および処理液は、このような液体に制限されるものではない。上記機能だけに限らず、光沢性等の画像品位や、耐水性、耐アルカリ性、耐候性等の画像堅牢性など、画像について何らかの性能を向上させる顔料インク、および処理液でもよい。例えば、そのようなインク、処理液には、水溶性樹脂や水分解性樹脂の他、シリコーンオイル等の材料を使用することができる。
【０１６９】
また、前述の実施形態では、所定領域の画像の形成に用いる複数種類の顔料インク全てを判定し、その中から透明層あるいは最表層と接する顔料インクを決定した。しかし、ある特定の数種類の顔料インクの中から最表層と接するインクを決定してもよい。また、決定したインクが複数種類の顔料インクとなってもよい。
【０１７０】
また、前述の実施形態では、最表層と接する顔料インクを、屈折率や正反射光の色や反射スペクトルの値の差により決定し、顔料インクの付与順序を変更した。値の差から判断する中で、最も大きい差となるインクを決定してもよいし、値の差に閾値を持たせ、その閾値以上のインク全てを差の大きいインクと決定してもよい。
【０１７１】
また、所定領域に対して付与されるインクの総量が所定の量よりも小さい場合は、顔料インク（例えばシアンとマゼンタ）同士が重ならないときもある。所定領域の記録に用いる複数種類のインクそれぞれについて、複数の液滴の中で第２の層を形成する液滴の割合が、最表層を形成する処理液の屈折率と最も差が大きい屈折率をもつインクの液滴が最も高くなるように前記吐出データの生成を行なうことができる。所定領域内の色ごとの液滴数に対して、処理液でカバーされる液滴数の割合が、最表層を形成する処理液の屈折率と最も差が大きい屈折率をもつインクにおいて一番高くなることが好ましい。例えば、最表層を形成するマゼンタインク１０滴とシアンインク１０滴とが互いに重ならずに配置されるとき、シアンインクはそのうちの８０パーセントに処理液を付与し、マゼンタインクにはそのうちの８０パーセント未満滴処理液を１５滴吐出するとする。このとき、シアンインク上に１０滴処理液を付与し、マゼンタインク上に残り５滴処理液を付与あるいは付与される処理液の割合よりマゼンタインクの割合が大きくなるように処理液のデータを生成することが有効である。
【０１７２】
また、前述の実施形態では、処理液や淡色の顔料インクは、最表面に存在する場合が最も機能を発揮する。しかし、画像形成を行っている最中に一部の付与量が他の顔料インクと共に吐出され最表層の下の顔料インク画像層の内部に存在してもよい。
【０１７３】
また本発明では、インクや処理液を吐出可能な記録ヘッドの複数回の走査によって、記録媒体上の所定領域に対して、インクによる画像の形成と、処理液や淡色の顔料インクによる被覆と、を行う種々のインクジェット記録装置に対して、広く適用することができる。したがって、記録ヘッドの構成や配備数などは、前述した実施例のみに特定されない。
【０１７４】
また、本発明では、画像の最表層を処理液や淡色の顔料インクで形成する構成において説明したが、最表層を形成するインクを特定していない構成であってもよい。その場合、画像を形成する所定領域ごとに最表層となるインクを検出し、その最表層となるインクと接するべき顔料インクを判定し、付与順序を変更するように制御すればよい。
【０１７５】
また、前述の実施形態では、最表層と接する顔料インクを、屈折率や正反射光の色や反射スペクトルの値の差により決定し、顔料インクの付与順序を変更した。しかし、更に記録媒体の種類（高吸収受容層など受容層の種類や、光沢紙・マット紙など用途別種類）や記録モードの種類（ドラフトモードや高精細モードなど）に応じて、判定する差の閾値を変更し付与方法を変更する形態であってもよい。
【図１】
2018012337.tif 000008
【図２】
2018012337.tif 000009
【図３】
2018012337.tif 000010
【図４】
2018012337.tif 000011
【図５】
2018012337.tif 000012
【図６】
2018012337.tif 000013
【図７】
2018012337.tif 000014
【図８】
2018012337.tif 000015
【図９】
2018012337.tif 000016
【図１０】
2018012337.tif 000017
【図１１】
2018012337.tif 000018
【図１２】
2018012337.tif 000019
【図１３】
2018012337.tif 000020
【図１４】
2018012337.tif 000021
【図１５】
2018012337.tif 000022
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
顔料インクＡと、前記顔料インクＡと異なる色の顔料インクＢと、透明な処理液と、を吐出する記録ヘッドを備え、前記記録ヘッドを走査方向に走査させ、前記記録ヘッドの走査と走査の間に前記記録媒体を前記走査方向と交差する方向に搬送して、前記記録媒体の単位領域に対して複数回の前記記録ヘッドの走査を行って画像を形成する記録装置であって、
前記顔料インクＡ、前記顔料インクＢおよび前記処理液について、前記単位領域に対して付与を行う走査と付与する量を決定する決定手段と、
前記決定手段による決定に従って前記記録ヘッドに前記記録媒体へ記録を行わせる制御手段と、を有し、
前記決定手段は、前記顔料インクＢを単位領域に吐出する量に対する前記複数回の走査のうち後半の走査で前記顔料インクＢを吐出する量の割合が、前記インクＡを単位領域に吐出する量に対する前記複数回の走査のうち後半の走査で前記インクＡを吐出する量の割合より高くなるように前記付与する量を決定し、かつ、前記単位領域の最表層に形成される前記処理液の厚さｄが複数通りの値をとり、複数のｄについて、下記式が成り立つように、
ｍ＊λ＝ｎ１＊２ｄ＊ｃｏｓθ＋λ／２（但し、ｍを正の整数、ｎ１を前記処理液の層の屈折率、波長λの可視光の入射角をθとする。）
前記単位領域に対して前記顔料インクＡを付与する最後の走査および前記顔料インクＢを付与する最後の走査より後の複数回の走査で前記処理液を付与することを決定し、
前記単位領域において、前記単位領域の最表層に形成される前記処理液の層の屈折率と前記顔料インクＢにより形成される層の屈折率の最大値との差は、前記単位領域の最表層に形成される前記処理液の層の屈折率と前記顔料インクＡにより形成される層の屈折率の最大値との差より大きい、
ことを特徴とする記録装置。
【請求項２】
前記処理液の層の屈折率と前記顔料インクＢにより形成される層の屈折率の最大値との差が０．３以上であることを特徴とする記録装置。
【請求項３】
前記顔料インクＡはシアンインクであり、前記顔料インクＢはマゼンタインクであることを特徴とする請求項１または２に記載の記録装置。
【請求項４】
前記記録媒体は光沢紙であることを特徴とする請求項１乃至３のいずれか１項に記載の記録装置。
【請求項５】
顔料インクＡと、前記顔料インクＡと異なる色の顔料インクＢと、前記顔料インクＡおよび顔料インクＢにより記録媒体上に形成された層を覆うための、透明な処理液と、を吐出するための記録ヘッドを走査方向に走査させ、前記記録ヘッドの走査と走査の間に前記記録媒体を前記走査方向と交差する方向に搬送することで、前記記録媒体の単位領域に対して前記記録ヘッドの複数回の走査で画像を形成する記録方法であって、
前記顔料インクＡ、前記顔料インクＢおよび前記処理液について、前記単位領域に対して付与を行う走査と付与する量を決定し、決定に従って前記記録ヘッドに前記記録媒体へ記録を行い、
前記決定工程において、前記顔料インクＢを単位領域に吐出する量に対する前記複数回の走査のうち後半の走査で前記顔料インクＢを吐出する量の割合が、前記インクＡを単位領域に吐出する量に対する前記複数回の走査のうち後半の走査で前記インクＡを吐出する量の割合より高くなるように前記付与する量を決定し、かつ、前記単位領域に対して前記顔料インクＡを付与する最後の走査および前記顔料インクＢを付与する最後の走査より後の複数回の走査で前記処理液を付与することを決定し、
前記複数回の走査で前記処理液を付与することにより、前記単位領域の最表層に形成される前記処理液の厚さｄが複数通りの値をとり、複数のｄについて、下記式が成り立ち、
ｍ＊λ＝ｎ１＊２ｄ＊ｃｏｓθ＋λ／２（但し、ｍを正の整数、ｎ１を前記処理液の層の屈折率、波長λの可視光の入射角をθとする。）
前記単位領域において、前記単位領域の最表層に形成される前記処理液の層の屈折率と前記顔料インクＢにより形成される層の屈折率の最大値との差は、前記単位領域の最表層に形成される前記処理液の層の屈折率と前記顔料インクＡにより形成される層の屈折率の最大値との差より大きい、
ことを特徴とする記録方法。
【請求項６】
前記処理液の層の屈折率と前記顔料インクＢにより形成される層の屈折率の最大値との差が０．３以上であることを特徴とする請求項５に記載の記録方法。
【請求項７】
前記顔料インクＡはシアンインクであり、前記顔料インクＢはマゼンタインクであることを特徴とする請求項５または６に記載の記録方法。
【請求項８】
前記記録媒体は光沢紙であることを特徴とする請求項５乃至７のいずれか１項に記載の記録方法。
【手続補正３】
【補正対象書類名】明細書
【補正対象項目名】０００１
【補正方法】変更
【補正の内容】
【０００１】
本発明は記録装置および記録方法に関する。
【手続補正４】
【補正対象書類名】明細書
【補正対象項目名】０００９
【補正方法】変更
【補正の内容】
【０００９】
本発明は、顔料インクＡと、前記顔料インクＡと異なる色の顔料インクＢと、透明な処理液と、を吐出する記録ヘッドを備え、前記記録ヘッドを走査方向に走査させ、前記記録ヘッドの走査と走査の間に前記記録媒体を前記走査方向と交差する方向に搬送して、前記記録媒体の単位領域に対して複数回の前記記録ヘッドの走査を行って画像を形成する記録装置であって、前記顔料インクＡ、前記顔料インクＢおよび前記処理液について、前記単位領域に対して付与を行う走査と付与する量を決定する決定手段と、前記決定手段による決定に従って前記記録ヘッドに前記記録媒体へ記録を行わせる制御手段と、を有し、前記決定手段は、前記顔料インクＢを単位領域に吐出する量に対する前記複数回の走査のうち後半の走査で前記顔料インクＢを吐出する量の割合が、前記インクＡを単位領域に吐出する量に対する前記複数回の走査のうち後半の走査で前記インクＡを吐出する量の割合より高くなるように前記付与する量を決定し、かつ、前記単位領域の最表層に形成される前記処理液の厚さｄが複数通りの値をとり、複数のｄについて、下記式が成り立つように、
ｍ＊λ＝ｎ１＊２ｄ＊ｃｏｓθ＋λ／２（但し、ｍを正の整数、ｎ１を前記処理液の層の屈折率、波長λの可視光の入射角をθとする。）前記単位領域に対して前記顔料インクＡを付与する最後の走査および前記顔料インクＢを付与する最後の走査より後の複数回の走査で前記処理液を付与することを決定し、前記単位領域において、前記単位領域の最表層に形成される前記処理液の層の屈折率と前記顔料インクＢにより形成される層の屈折率の最大値との差は、前記単位領域の最表層に形成される前記処理液の層の屈折率と前記顔料インクＡにより形成される層の屈折率の最大値との差より大きい、ことを特徴とする記録装置。
【手続補正５】
【補正対象書類名】明細書
【補正対象項目名】０１２１
【補正方法】変更
【補正の内容】
【０１２１】
図１５に示すように屈折率がＡ＝ｎＣであり、インクＡにより形成された第１の層１０１１が記録媒体１００１上に設けられている。そして屈折率がＢ＝ｎＭ（ｎＭ＞ｎＣ）であり、インクＢにより形成される第２の層１００２が第１の層上に設けられている。さらに屈折率がＣ＝ｎ１（ただしｎ１＞ｎＭ＞ｎＣ）であり、記録物の表層を形成する第３の層１００３として、インクＣまたは透明な樹脂材料で形成される層が第２の層上に設けられている。本実施形態においてはインクＡとしては例えばシアンインク、インクＢとしてはマゼンタインク、そして、第３の層１００３は処理液によって、それぞれ形成されている。これにより表層１００３との屈折率との差が大きい方のインクＢの第２の層が差が小さい方のインクＡの第１の層１０１１よりも表層側に形成される。透明層である第１の層１００３に対して屈折率の差が大きい方の第２の層が透明な樹脂である第３の層１００３の直下に配されている。この場合、入射光１００４は、第３の層１００３の表面で反射する光１００５と第３の層１００３の内部に進む光１００７に分かれる。光１００７は、第３の層１００３の屈折率ｎ１と第２の層１００２の屈折率ｎＭとの差が、第３の層１００３の屈折率ｎ１と第１の層の屈折率ｎＣとの差より大きいため、第１の層が第３の層の直下にある場合に比べて界面での反射光１００９を大きく出来る。このような積層構造によれば、界面から反射光を促進し、透明層１００３の表面では、光１００５と光１００６とが干渉することによるブロンズ現象の低減が図られる。第１の層１０１１は必ずしも最下層である必要はない。第１の層１０１１よりも記録媒体側にインクＡの色と異なる色のインクＤにより形成される第４の層が設けられていてもよい。